(57)【要約】      （修正有）【課題】１列のＰＶモジュールを支持するための材料効率のよいＰＶモジュールの支持レールを提供する。【解決手段】ＰＶモジュール１が異形支持要素２によって支持され、異形支持要素２は外側中空異形要素３、絶縁要素４、および金属製内側中空異形要素５を備え、絶縁要素４、外側中空異形要素３、および内側中空異形要素５は互いに電気的に分離される。内側中空異形要素５は、絶縁要素４を使って外側中空異形要素３内に収容され、絶縁要素４を使って異形支持要素２に垂直なすべての方向にわたって形状ばめにより外側中空異形要素３内に保持される。【選択図】図２
0003184353.tif 000002
【実用新案登録請求の範囲】
【請求項１】
１列のＰＶモジュールの支持レールであって、
前記ＰＶモジュール（１）は、前記支持レール（２）を使って支持され、
前記支持レール（２）は、外側中空レール（３）、絶縁手段（４）、および金属製内側中空レール（５）を備え、
前記絶縁手段（４）は、前記外側中空レール（３）と前記内側中空レール（５）とを互いに電気的に分離し、
前記内側中空レール（５）は、前記絶縁手段（１２）を使って前記外側中空レール（３）内に収容され、前記絶縁手段（１２）を使ってポジティブロック機構により前記支持レール（２）を横断するすべての方向にわたって前記外側中空レール（３）内に保持される、
ことを特徴とする１列のＰＶモジュールの支持レール。
【請求項２】
請求項１に記載の支持レールであって、
前記外側中空レール（３）の内側断面（３．２）および前記内側中空レール（５）の外側断面（５．１）は、合同である、
ことを特徴とする支持レール。
【請求項３】
請求項１または２に記載の支持レールであって、
前記外側中空レール（３）の内側断面（３．２）および前記内側中空レール（５）の前記外側断面（５．１）のエンベロープポリゴンは、合同である、
ことを特徴とする支持レール。
【請求項４】
請求項１から３のいずれか一項に記載の支持レールであって、
前記内側中空レール（５）は、外側中空レール（３）内の中心に配置される、
ことを特徴とする支持レール。
【請求項５】
請求項１から４のいずれか一項に記載の支持レールであって、
前記内側中空レール（５）の内側断面（５．２）の面積（５．３）と前記外側中空レール（３）の内側断面（３．２）の面積（３．３）との比は、０．４より大きく、１より小さい、
ことを特徴とする支持レール。
【請求項６】
請求項１から５のいずれか一項に記載の支持レールであって、
前記内側中空レール（５）の断面係数と前記外側中空レール（３）の断面係数との比は、前記支持レール（２）を横断するそれぞれの方向で、０．１より大きく、０．５より小さい、
ことを特徴とする支持レール。
【請求項７】
請求項１から６のいずれか一項に記載の支持レールであって、
前記絶縁手段（４）は、少なくとも部分的に前記外側中空レール（３）と反対の形態、また前記内側中空レール（５）と反対の形態となる、
ことを特徴とする支持レール。
【請求項８】
請求項１から７のいずれか一項に記載の支持レールであって、
前記絶縁手段（８ａ、８ｂ、８ｃ）は、支持レールに長手方向に、および／または横断する方向に複数の部分に分けて備えられる、
ことを特徴とする支持レール。
【請求項９】
請求項１から８のいずれか一項に記載の支持レールであって、
前記絶縁手段（４）は、中空レールである、
ことを特徴とする支持レール。
【請求項１０】
請求項１から９のいずれか一項に記載の支持レールであって、
前記外側中空レール（３）および／または前記内側中空レール（５）および／または前記絶縁手段（４）は、それぞれ、押し出し成形可能な基本形状を有する、
ことを特徴とする支持レール。
【請求項１１】
請求項１から１０のいずれか一項に記載の支持レールであって、
複数のスペース要素（４．４）は、前記絶縁手段（４）の前記外側および／または前記内側に配設される、
ことを特徴とする支持レール。
【請求項１２】
請求項１から１１のいずれか一項に記載の支持レールであって、
前記外側中空レール（３）は、その外側のところに少なくとも１つのアンダーカットされた固定チャネル（３．４）を備える、
ことを特徴とする支持レール。
【請求項１３】
請求項１から１２のいずれか一項に記載の支持レールであって、
前記外側中空レール（３）は、その外側のところに支承面（３．５）およびアンダーカットされた固定チャネル（３．４）を備え、
前記固定チャネル（３．４）は、前記支承面（３．５）を分割し、
前記ＰＶモジュール（１）は、前記支承面（３．５）上に据え付けられる、
ことを特徴とする支持レール。
【請求項１４】
請求項１から１３のいずれか一項に記載の支持レールであって、
前記外側中空レール（３）は、その外側のところに固定縁（３．６）および／または固定溝を備え、これにより、前記外側中空レール（３）を基材に固定することができる、
ことを特徴とする支持レール。
【請求項１５】
請求項１３から１４のいずれか一項に記載の支持レールであって、
前記支承面（３．５）および前記固定縁（３．６）は、前記外側中空レール（３）の両側に備えられる、
ことを特徴とする支持レール。
【請求項１６】
請求項１から１５のいずれか一項に記載の支持レールであって、
前記外側中空レール（３）の内側断面（３．２）および／または前記内側中空レール（５）の外側断面（５．１）および／または前記絶縁手段（４）の外側断面（４．１）および／または前記絶縁手段（４）の内側断面（４．２）は、台形である、
ことを特徴とする支持レール。
【請求項１７】
請求項１から１６のいずれか一項に記載の支持レールであって、
前記外側中空レール（３）の外側断面（３．１）の４面エンベロープポリゴン（３．７）および／または前記絶縁手段（４）の外側断面（４．１）および／または前記内側中空レール（５）の外側断面（５．１）はそれぞれ台形を形成する、
ことを特徴とする支持レール。
【請求項１８】
請求項１から１７のいずれか一項に記載の支持レールであって、
前記外側中空レール（３）の断面（３．１）は、台形の形態に基づき、前記台形の形態の一方の平行な側は、２つの固定縁（３．６）を使って両側に延在し、前記台形の形態の前記他方の側には、支承面（３．５）がアンダーカットされた固定チャネル（３．４）を使って配置される、
ことを特徴とする支持レール。
【請求項１９】
請求項１から１８のいずれか一項に記載の支持レールであって、
前記外側中空レール（３）は、前記ＰＶモジュール（１）が挿入される少なくとも１つの３面受け入れチャネルを備える、
ことを特徴とする支持レール。
【請求項２０】
請求項１から１９のいずれか一項に記載の支持レールであって、
前記内側中空レール（１１ａ）のほかに、第２の金属製内側中空レール（１１ｂ）が備えられ、
前記絶縁手段（１２）は、前記外側中空レール（３）と前記第２の内側中空レール（１１ｂ）とを互いに電気的に分離し、
前記第２の内側中空レール（１１ｂ）は、前記絶縁手段（１２）を使って前記外側中空レール（３）内に収容され、前記絶縁手段（１２）を使ってポジティブロック機構により前記支持レール（１３）を横断するすべての方向にわたって前記外側中空レール（３）内に保持される、
ことを特徴とする支持レール。
【請求項２１】
請求項１から１９のいずれか一項に記載の支持レールであって、
第２の金属製内側中空レール（１４）および第２の絶縁手段（１５）が備えられ、
前記第２の絶縁手段（１５）は、前記内側中空レール（５）と前記第２の内側中空レール（１４）とを互いに電気的に分離し、
前記第２の内側中空レール（１４）は、前記第２の絶縁手段（１５）を使って前記第１の内側中空レール（５）内に収容され、前記第２の絶縁手段（１５）を使ってポジティブロック機構により前記支持レール（１６）を横断するすべての方向にわたって前記第１の内側中空レール（５）内に保持される、
ことを特徴とする支持レール。
【請求項２２】
請求項１から１９のいずれか一項に記載の支持レールを製造するための方法であって、
最初に、前記絶縁手段（４）は、前記内側中空レール（５）の外側に配置され、次いで、前記内側中空レール（５）は、前記絶縁手段（４）と一緒に前記外側中空レール（３）内に挿入されるか、または最初に、前記絶縁手段（４）は、前記外側中空レール（３）の前記内側に配置され、次いで、前記内側中空レール（５）が前記絶縁手段（４）内に挿入される、
ことを特徴とする方法。
【請求項２３】
請求項１から１９のいずれか一項に記載の支持レールであって、
前記ＰＶモジュール（１）は、電気的に直列接続されたＰＶモジュール（１、１９）の列（２０から２１）内に一体化され、
前記列（２０から２１）は、前記内側中空レール（５）の長手方向端部（５．５）と電気的に接続された電気的な一方の端部（２０）のところにある、
ことを特徴とする支持レール。
【請求項２４】
請求項２３に記載の支持レールであって、
前記列（２０から２１）は、インバータ（２２）と電気的に接続されたその他方の電気的端部（２１）のところにある、
ことを特徴とする支持レール。
【請求項２５】
請求項２３または２４に記載の支持レールであって、
前記内側中空レール（５）の前記他方の長手方向端部（５．６）は、インバータ（２２）と電気的に接続される、
ことを特徴とする支持レール。
【請求項２６】
請求項２３に記載の支持レールであって、
前記列（２０から２１）は、インバータ（２２）の極（２４）と電気的に接続されたその他方の電気的端部（２１）のところにあり、
前記内側中空レール（５）の前記他方の長手方向端部（５．６）は、前記インバータ（２２）の前記他方の極（２５）と電気的に接続される、
ことを特徴とする支持レール。
【請求項２７】
請求項１から２６のいずれか一項に記載の支持レールであって、
前記外側中空レール（３）は、集合電位（２６）、特に地電位と電気的に接続される、ことを特徴とする支持レール。
【考案の詳細な説明】
【技術分野】
【０００１】
本考案は、１列のＰＶモジュールの支持レールに関する。
【背景技術】
【０００２】
このような支持レールは、１列に並べられた複数の太陽電池（Photovoltaic Modules）モジュール、略してＰＶモジュールを支持する。実際には、この目的のために、支持レールは、屋根上、または露地に配列された支持構造物内の一要素である。支持レールは、直流電流をインバータに送るために特に有用な導電体を備えることができる。
【０００３】
国際公開第２００４／０１７４２４  Ａ２号から、ＰＶモジュール用の固定デバイス（fixing device）が知られている。前記固定デバイスは中空の異形レールを備え、比較的小さな断面を有する電流線がこの異形レールの支承面の下に取り付けられる。
【０００４】
ドイツ特許第２０  ２００６  ０１２  ４９５  Ｕ１号から、導電体を有しない、１列のＰＶモジュール用の支持レールが知られている。
【考案の概要】
【考案が解決しようとする課題】
【０００５】
本考案の一目的は、１列のＰＶモジュールを支承するための材料効率のよい支持レールを提供することであり、支持レールは一体化された導電体を備える。導電体は、大きな材料断面を有するが、ただし、その自重により支持レールの支圧強度を低下させることがないものとする。
【課題を解決するための手段】
【０００６】
この目的は、請求項１に記載の１列のＰＶモジュールの支持レールによって解決される。したがって、ＰＶモジュールは、支持レールを使って支持され、支持レールは、外側中空レール、絶縁手段、および金属製内側中空レールを備える。さらに、絶縁手段は、外側中空レールと内側中空レールとを互いに電気的に分離し、内側中空レールは、絶縁手段を使って外側中空レール内に収容され、絶縁手段を使ってポジティブロック機構により支持レールを横断するすべての方向にわたって外側中空レール内に保持されるようになっている。
【０００７】
したがって、内側中空レールは、交流および／または直流電流用の絶縁された導電体として使用することができ、また中空の断面を有することで特定の曲げに耐えられるように構成することができる。さらに、内側中空レールがポジティブロック機構で外側中空レール内にすべての横断方向にわたって保持されると、外側中空レールおよび内側中空レールの支承特性により、レール同士が有利な形で補完し合う。そのため、内側中空レールの材料断面は非常に大きく設計することができ、電気的にも、構造的にも有利である。さらに、外側中空レールは、これにより、先行技術から知られている異形レールに比べて荷重負担能力が小さくなるように実施されうる。形状ばめ（form fit）で保持するので、内側中空レールは、支持レールを横断するどの方向にも外側中空レール内で移動することができない。好適な形状公差が、特に隙間ばめでは存在していることがあり、その場合通常より小さい大きさの嵌合も同様に可能であることを理解されたい。
【０００８】
支持レールの好ましい長さは、１列に並ぶ複数のＰＶモジュールを支承することができるように４から２０メートルの範囲内である。外側中空レールおよび内側中空レールは、実質的に同じ長さであってもよい。機械的および電気的接続の目的に対して、内側中空レールが全長に関して外側中空レールの端部のところでセットバックおよび／または突出をわずかに生じる場合に、これは有利になる可能性がある。このようなセットバックまたは突出の程度は、好ましくは、１０ｃｍ未満または支持レールの全長の２％未満である。
【０００９】
外側中空レールは、内側中空レールのような金属製であってもよい。好ましくは、どちらの中空レールも、耐食性を有し軽量で良導体であるアルミニウムからなる。あるいは、またはさらに、外側中空レールは、プラスチック材料および／または木材からなるものとすることも可能である。
【００１０】
支持レールの高い荷重負担能力について、外側および／または内側中空レールはそれぞれ、閉じた中空の断面を有することが実用的である。好ましくは、外側および内側のどちらの中空レールも、単一のセルから作られる、言い換えると、これらはちょうど１つの中空チャンバーを備える。しかし、これらをマルチセル形態で設計することも可能である。
【００１１】
外側中空レールの内側断面および／または内側中空レールの外側断面は、それぞれ多角形に設計することができることが有利である。これにより、支持レールの荷重負担能力をさらに高めることができる。好ましい一実施形態では、外側中空レールの内側断面および内側中空レールの外側断面は、実質的に合同であるようになっている。そのため、絶縁手段を使って内側中空レールを外側中空レール内に受け入れて形状ばめにより保持することが、特に材料効率のよい形で可能になる。同じ理由から、外側中空レールの内側断面および内側中空レールの外側断面のエンベロープポリゴン（envelope polygon）は、実質的に合同であるようになっている。
【００１２】
構造的に特に有利である実施形態において、内側中空レールは、特に上述の形状の合同性と組み合わせて、外側中空レール内の中心に配置構成される。
【００１３】
好ましくは、内側中空レールの内側断面の面積と外側中空レールの内側断面の面積との比は、０．４より大きく、１より小さい。内側中空レールの断面係数と外側中空レールの断面係数との比は、支持レールを横断するそれぞれの方向に、好ましくは、０．１より大きく、０．５より小さい。これらの比率は、特に組み合わせたときに、荷重負担能力および材料利用度に関して有利であることが実証されている。
【００１４】
すべての横断方向で受け入れ、形状ばめにより保持するために、絶縁材料は、周方向に、少なくとも部分的に、外側中空レールと反対の形態となる継手および内側中空レールと反対の形態となる継手を有することができる。
【００１５】
可能な一実施形態では、絶縁手段は、支持レールの長手方向、および／または横断方向に複数の部分に分けて設けられるようになっている。このため材料を節約できる。そのような部分の間の長手方向の実用距離は、特に、２０から５０ｃｍまでの範囲内とすることができる。横断方向に複数の部分に分ける実施形態の場合、絶縁手段の前記部分は、好ましくは、内側中空レールのいくつかの外縁に、例えば、台形の４つの外側出隅に配置される。
【００１６】
好ましくは、絶縁手段は、中空異形材、特に閉じた中空異形材である。さらに、これは、外側および内側中空レールと実質的に同じ長さであってもよい。このような絶縁手段は、外側中空レールと内側中空レールとを互いに電気的に連結し、周上で分離することが容易である。絶縁手段をいくつかの長手方向に配列された中空異形部分の形態にして備えることも可能である。このようにして、支持レールは、３つの外殻を備えて−部分的に、または好ましくは実質的にその全長にわたって製作することができる。
【００１７】
特に好ましい一実施形態では、外側中空レールおよび／または内側中空レールおよび／または絶縁手段はそれぞれ、押し出し成形可能な基本形状を有する。そのため、押出成形による製造が可能である。
【００１８】
いくつかのスペース要素を絶縁手段の外側および／または内側に配設することができる。そのようなスペース要素は、内側中空レールおよび／または外側中空レールおよび／または絶縁手段を製造する際に連結を円滑に行えるようにし、より大きな公差を許容できる。これは、特に、長手方向に連続的に延在する中空レールの形態で実施される絶縁手段に対して適用される。
【００１９】
支持されているＰＶモジュールを固定するため、または支持レールを基材に固定するために、外側中空レールがその外側に少なくとも１つのアンダーカットされた固定チャネルを備えると、有利である。このような固定チャネルは、好ましくは、両側でアンダーカットされ、例えば、ナットとボルトとを使って背後から係合することができる。
【００２０】
支持されているＰＶモジュールを固定するために、外側中空レールは、好ましくは平面状の支承面およびアンダーカットされた固定チャネルをその外側に有することができ、固定チャネルは、適宜、支承面を分割し、ＰＶモジュールは、その支承面上に据え付けられる。
【００２１】
支持レールを固定するために、外側中空レールは、外側中空レールが基材に固定されうる、またはされている固定縁または固定溝をその外側に備えることが好ましい。このような種類の固定は実用的であり、多機能であり、安全である。
【００２２】
好ましくは、支承面および固定縁および／または固定溝は、外側中空レールの両側に設けられる。特に、固定縁は、基材に面する側に配置することができ、支承面は、ＰＶモジュールに面する側に配置することができる。
【００２３】
外側中空レール、内側中空レール、および絶縁手段は、もちろん、多くの異なる異形の形状を有することができる。そこで、矩形、正方形、円筒形、楕円形、さらには多角形、特に三角形および六角形の形状を使用することができる。支持レールの好ましい設計において、外側中空レールの内側断面および／または内側中空レールの外側断面および／または絶縁手段の外側断面および／または絶縁手段の内側断面は、台形であるようになっている。台形の形状は、構造的に有利であることが判明している。同じ理由から、外側中空レールの外側断面の４面を持つエンベロープポリゴンおよび／または絶縁手段の外側断面および／または内側中空レールの外側断面はそれぞれ台形を形成していることが好ましい。さらに、外側中空レールの断面が、台形の形状に基づいており、その台形の形態の一方の平行な側は２つの固定縁を使って両側に延在し、台形の形態の他方の側には、支持弦がアンダーカットされた固定チャネルを使って配置されるようにすることが可能である。
【００２４】
さらなる一実施形態では、外側中空レールは、少なくとも１つの３面を持つ受け入れチャネルを備えることができ、この中にＰＶモジュールが、その片側において、その縁またはフレームとともに挿入される。一実施形態では、外側中空レールは、ちょうど２つのそのような３面を持つ受け入れチャネルを備えることができ、これらのチャネルは、２列のＰＶモジュールがそれぞれその片側においてそれぞれその縁またはフレームとともに挿入されうるように反対方向に開いている。
【００２５】
その一変更形態において、内側中空レールのほかに、第２の金属製内側中空レールが備えられ、絶縁手段は、また、外側中空レールと第２の内側中空レールとを互いに電気的に分離し、第２の内側中空レールは、絶縁手段を使って外側中空レール内にも収容され、また絶縁手段を使ってポジティブロック機構により支持レールを横断するすべての方向にわたって外側中空レール内に保持される。さらなる一変更形態において、第２の金属製内側中空レールおよび第２の絶縁手段を備えることができ、第２の絶縁手段は、第１の内側中空レールと第２の内側中空レールとを互いに電気的に分離し、第２の内側中空レールは、第２の絶縁手段を使って第１の内側中空レール内に収容され、第２の絶縁手段を使ってポジティブロック機構により支持レールを横断するすべての方向にわたって第１の内側中空レール内に保持される。これらの変更形態において、特に２線直流電流ケーブルの代用として、２つの絶縁された導体が使用されうることが有利である。
【００２６】
本発明により支持レールを製造するために、最初に、絶縁手段を内側中空レールの外側に配置し、次いで、内側中空レールを絶縁手段と一緒に外側中空レール内に挿入することができる。一変更形態では、最初に、絶縁手段を外側中空レールの内側に配置し、次いで、内側中空レールを絶縁手段内に挿入することができる。絶縁手段の配置は、好ましくは、噴霧すること、包装すること、押すこと、引くこと、接着剤で付けること、または同時押し出し成形によって実行されうる。内側中空レールを挿入することは、適宜、絶縁手段と一緒に、好ましくは摺動嵌め込み、押し込み、または圧入で行う。また、外側中空レール、絶縁手段、および内側中空レールを一緒に３外殻列（three-shell string）で同時押し出し成形することも可能である。
【００２７】
支持レールの有利な電気的接続において、ＰＶモジュールは、直列に電気的接続された一列のＰＶモジュール内に一体化され、この列は、内側中空レールの長手方向端部と電気的に接続された電気的な一方の端部のところにあるようになっている。さらに、この列は、インバータとその電気的な他方の端部のところで電気的に接続されうる。内側中空レールの他方の長手方向端部は、好ましくは同じ、インバータと電気的に接続されうる。
【００２８】
これは、列がインバータの一方の極と電気的に接続された電気的な他方の端部のところにあり、内側中空レールの他方の長手方向端部がインバータの他方の極と電気的に接続されることが好ましい。このようにして、ＰＶ発電機が形成され、直流配線の一部は、内側中空レールによって代用されることが有利である。
【００２９】
このような列または単一のＰＶモジュールは、内側中空レールの長手方向端部と接続できるだけでなく、支持レール上の任意の位置で接続用コンセントと接続することもできる。このような接続コンセントは、支持レールを横断する方向の内側中空レールとの接続が自由に保持されるように外側から開口部を通って外側中空レールおよび絶縁手段を貫通することができる。
【００３０】
人員およびＰＶモジュールの安全のため、外側中空レールを集合またはグラウンド電位と、特に地電位と電気的に接続することが有益である。
【００３１】
これ以降、本発明は、いくつかの実施形態に関してさらに詳しく説明される。
【図面の簡単な説明】
【００３２】
【図１】１列のいくつかのＰＶモジュールの支持レールの概略平面図である。
【図２】図１による支持レールの側面図である。
【図３】図１による支持レールの外側中空レール、絶縁手段、および内側中空レールの別々の側面図である。
【図４】さらなる支持レールの側面図である。
【図５】さらなる支持レールの側面図である。
【図６】さらなる支持レールの側面図である。
【図７】図１による支持レールを使用する概略回路トポロジー図である。
【考案を実施するための形態】
【００３３】
図１は、６個のＰＶモジュール１を１列に並べた支持レール２を示しており、ＰＶモジュール１は、支持レール２を使って片側に支持される。他方の側では、ＰＶモジュール１は、従来の支持レール２７によって支持される。
【００３４】
特に図２および図３を見るとわかるように、支持レール２は、金属製外側中空レール３、絶縁手段４、および金属製内側中空レール５を備え、絶縁手段４は、外側中空レール３と内側中空レール５とを互いに電気的に分離する。さらに、内側中空レール５は、絶縁手段４を使って外側中空レール３内に収容され、絶縁手段４を使ってポジティブロック機構により支持レール２を横断するすべての方向にわたって外側中空レール３内に保持されることがわかる。
【００３５】
さらに、外側中空レール３の内側断面３．２および内側中空レール５の外側断面５．１は、合同であることがわかる。内側中空レール５は、外側中空レール３内に中心に来るように配置される。
【００３６】
内側中空レール５の内側断面５．２の面積５．３と外側中空レール３の内側断面３．２の面積３．３との比は、約０．６である。内側中空レール５の断面係数と外側中空レール３の断面係数との比は、支持レール２を横断するそれぞれの方向に、０．２より大きく、０．４より小さい。
【００３７】
外側中空レール３および内側中空レール５、さらには中空レールの形態でも実施される絶縁手段４は、それぞれ、閉じた１セル中空断面を備える。さらに、これらはそれぞれ、押し出し成形可能な形状を有し、ほぼ同じ長さである。
【００３８】
絶縁手段４は、外側中空レール３とは反対の形態、および同様に内側中空レール５とは反対の形態を形成する。さらに、これは、その外側のところに複数のスペース要素４．４を有し、これらのスペース要素４．４は外側中空レール４にその内側のところで当接する。
【００３９】
内側中空レール５を外側中空レール３内に挿入するために、絶縁手段４は最初に内側中空レール５の外側に配置され、次いで、内側中空レール５が絶縁手段４と一緒にポジティブロック機構により外側中空レール３内に適切に挿入されるようになっている。
【００４０】
外側中空レール３は、その頂部側に支承面３．５およびアンダーカットされた固定チャネル３．４を備え、固定チャネル３．４は、支承面３．５を分割し、その１つが図２に部分的にしか示されていない、ＰＶモジュール１が支承面３．５上に据え付けられている。さらに、外側中空レール３は、２つの固定縁３．６をその外下側に備え、これにより、外側中空レール３は、詳細には図示されていない従来の基材に固定することができる。
【００４１】
図２および図３からさらにわかるように、外側中空レール３の内側断面３．２および内側中空レール５の外側断面５．１は、実質的に台形状である。また、絶縁手段４の内側断面４．２および外側断面４．１は、実質的に台形状である。その各下側のところにある３つすべての中空レール３、４、および５内に設けられている補強用肋材３．８、４．８、および５．８、さらには絶縁手段４の外側のところにあるスペース要素４．４のみが、正確な台形の形態から外れている。
【００４２】
さらに、破線を使って例示されている外側中空レール３の外側断面３．１の４面エンベロープポリゴン３．７は、台形を形成する。これは、絶縁手段４の外側断面４．１および内側中空レール５（ただし図には詳細に示されていない）の外側断面５．１にも適用される。
【００４３】
外側中空レール３の断面３．１は、台形の形態に基づき、台形の形態の上側の平行な側は、２つの固定縁３．６を使って延在する両側にあり、台形の形態の他方の下側の平行な側には、支承面３．５がアンダーカットされた固定チャネル３．４の壁を使って配置される。
【００４４】
図３による外側中空レール３および内側中空レール５に関して、図４は、代替的に絶縁手段を複数の部分に分けて製作することができることを示している。そのため、この実施形態では、長手方向に連続的に延在しうるか、または長手方向にも複数の部分に分けて実施されうる３つの部分８ａ、８ｂ、および８ｃが備えられる。また、この実施形態では、本発明により、内側中空レール５は、外側中空レール３内に収容され、絶縁手段を使って、より正確には、３つの部分８ａ、８ｂ、および８ｃを使ってポジティブロック機構により外側中空レール３内の支持レール１７を横断するすべての方向に保持される。
【００４５】
図５は、支持レール１３の代替的実施形態を示しており、そこでは、第１の内側中空レール１１ａに加えて、第２の金属製内側中空レール１１ｂが配置される。さらに、絶縁手段１２は、外側中空レール３と第２の内側中空レール１１ｂとを互いに電気的に分離し、第２の内側中空レール１１ｂは、絶縁手段１２を使って外側中空レール３内に収容され、絶縁手段１２を使ってポジティブロック機構により支持レール１３を横断するすべての方向にわたって外側中空レール３内に保持されるようになっている。２つの内側中空レール１１ａおよび１１ｂは、２芯導電体として使用することができることが有利である。
【００４６】
図６は、支持レール１６の代替的実施形態を示しており、そこでは、第２の金属製内側中空レール１４および第２の絶縁手段１５が備えられ、第２の絶縁手段１５は、第１の内側中空レール５と第２の内側中空レール１４とを互いに電気的に分離する。第２の内側中空レール１４は、第２の絶縁手段１５を使って第１の内側中空レール５内に収容され、第２の絶縁手段１５を使ってポジティブロック機構により支持レール１６を横断するすべての方向にわたって保持される。また、これら２つの内側中空レール５および１４は、２芯導電体として使用することができることが有利である。
【００４７】
図７は、それぞれ図１および図３による支持レールを使用する回路トポロジーを示している。６個のＰＶモジュール１が、支持レール２および２７上に配置されている。さらに、さらに１２個のＰＶモジュール１９が配置される。また、２つの接続極２４および２５を有するインバータ２２が配置されている。
【００４８】
ＰＶモジュール１および１９は、１つの列内で電気的に直列接続される。この列は、一方の電気的端部２０から他方の端部２１まで延在する。実質的に、この列は、その一方の電気的端部２０のところで内側中空レール５の長手方向端部５．５と、またその他方の端部２１のところでインバータ２２への接続極２４と、接続線を使って電気的に接続される。直流電流回路を閉じるために、内側中空レール５の他方の長手方向端部５．６が、接続線を使ってインバータ２２の他の接続極２５と電気的に接続される。最後に、内側中空レール３は、集合またはグラウンド電位２６、特に地電位と電気的に接続されるようになっている。
【符号の説明】
【００４９】
１  ＰＶモジュール、１’  ＰＶモジュール、２  支持レール、３  外側中空レール、３．１  外側断面、３．２  内側断面、３．３  内側面積、３．４  固定チャネル、３．５  支承面、３．６  固定縁、３．７  ４面エンベロープポリゴン、３．８  補強用肋材、４  絶縁手段、４．１  外側断面、４．２  内側断面、４．３  内側面積、４．４  スペース要素、４．８  補強用肋材、５  内側中空レール、５．１  外側断面、５．２  内側断面、５．３  内側面積、５．４  外側縁、５．５  一方の長手方向端部、５．６  他方の長手方向端部、５．８  補強用肋材、８ａ  絶縁手段、８ｂ  絶縁手段、８ｃ  絶縁手段、１１ａ  第１の内側中空レール、１１ｂ  第２の内側中空レール、１２  絶縁手段、１３  支持レール、１４  第２の内側中空レール、１５  第２の絶縁手段、１６  支持レール、１７  支持レール、１９  ＰＶモジュール、２０  電気的端部、２１  電気的端部、２２  インバータ、２４  一方の極、２５  他方の極、２６  集合電位、２７  従来の支持レール、２８  １つの列の一部、２９  ＰＶモジュールの接続。
【図１】
0003184353.tif 000003
【図２】
0003184353.tif 000004
【図３】
0003184353.tif 000005
【図４】
0003184353.tif 000006
【図５】
0003184353.tif 000007
【図６】
0003184353.tif 000008
【図７】
0003184353.tif 000009
【手続補正書】
【提出日】平成25年2月6日(2013.2.6)
【手続補正１】
【補正対象書類名】実用新案登録請求の範囲
【補正対象項目名】全文
【補正方法】変更
【補正の内容】
【実用新案登録請求の範囲】
【請求項１】
１列のＰＶモジュールの支持レールであって、
前記ＰＶモジュール（１）は、前記支持レール（２）を使って支持され、
前記支持レール（２）は、外側中空レール（３）、絶縁手段（４）、および金属製内側中空レール（５）を備え、
前記絶縁手段（４）は、前記外側中空レール（３）と前記内側中空レール（５）とを互いに電気的に分離し、
前記内側中空レール（５）は、前記絶縁手段（１２）を使って前記外側中空レール（３）内に収容され、前記絶縁手段（１２）を使ってポジティブロック機構により前記支持レール（２）を横断するすべての方向にわたって前記外側中空レール（３）内に保持される、
ことを特徴とする１列のＰＶモジュールの支持レール。
【請求項２】
請求項１に記載の支持レールであって、
前記外側中空レール（３）の内側断面（３．２）および前記内側中空レール（５）の外側断面（５．１）は、合同である、
ことを特徴とする支持レール。
【請求項３】
請求項１または２に記載の支持レールであって、
前記外側中空レール（３）の内側断面（３．２）および前記内側中空レール（５）の前記外側断面（５．１）のエンベロープポリゴンは、合同である、
ことを特徴とする支持レール。
【請求項４】
請求項１から３のいずれか一項に記載の支持レールであって、
前記内側中空レール（５）は、外側中空レール（３）内の中心に配置される、
ことを特徴とする支持レール。
【請求項５】
請求項１から４のいずれか一項に記載の支持レールであって、
前記内側中空レール（５）の内側断面（５．２）の面積（５．３）と前記外側中空レール（３）の内側断面（３．２）の面積（３．３）との比は、０．４より大きく、１より小さい、
ことを特徴とする支持レール。
【請求項６】
請求項１から５のいずれか一項に記載の支持レールであって、
前記内側中空レール（５）の断面係数と前記外側中空レール（３）の断面係数との比は、前記支持レール（２）を横断するそれぞれの方向で、０．１より大きく、０．５より小さい、
ことを特徴とする支持レール。
【請求項７】
請求項１から６のいずれか一項に記載の支持レールであって、
前記絶縁手段（４）は、少なくとも部分的に前記外側中空レール（３）と反対の形態、また前記内側中空レール（５）と反対の形態となる、
ことを特徴とする支持レール。
【請求項８】
請求項１から７のいずれか一項に記載の支持レールであって、
前記絶縁手段（８ａ、８ｂ、８ｃ）は、支持レールに長手方向に、および／または横断する方向に複数の部分に分けて備えられる、
ことを特徴とする支持レール。
【請求項９】
請求項１から８のいずれか一項に記載の支持レールであって、
前記絶縁手段（４）は、中空レールである、
ことを特徴とする支持レール。
【請求項１０】
請求項１から９のいずれか一項に記載の支持レールであって、
前記外側中空レール（３）および／または前記内側中空レール（５）および／または前記絶縁手段（４）は、それぞれ、押し出し成形可能な基本形状を有する、
ことを特徴とする支持レール。
【請求項１１】
請求項１から１０のいずれか一項に記載の支持レールであって、
複数のスペース要素（４．４）は、前記絶縁手段（４）の前記外側および／または前記内側に配設される、
ことを特徴とする支持レール。
【請求項１２】
請求項１から１１のいずれか一項に記載の支持レールであって、
前記外側中空レール（３）は、その外側のところに少なくとも１つのアンダーカットされた固定チャネル（３．４）を備える、
ことを特徴とする支持レール。
【請求項１３】
請求項１から１２のいずれか一項に記載の支持レールであって、
前記外側中空レール（３）は、その外側のところに支承面（３．５）およびアンダーカットされた固定チャネル（３．４）を備え、
前記固定チャネル（３．４）は、前記支承面（３．５）を分割し、
前記ＰＶモジュール（１）は、前記支承面（３．５）上に据え付けられる、
ことを特徴とする支持レール。
【請求項１４】
請求項１から１３のいずれか一項に記載の支持レールであって、
前記外側中空レール（３）は、その外側のところに固定縁（３．６）および／または固定溝を備え、これにより、前記外側中空レール（３）を基材に固定することができる、
ことを特徴とする支持レール。
【請求項１５】
請求項１３から１４のいずれか一項に記載の支持レールであって、
前記支承面（３．５）および前記固定縁（３．６）は、前記外側中空レール（３）の両側に備えられる、
ことを特徴とする支持レール。
【請求項１６】
請求項１から１５のいずれか一項に記載の支持レールであって、
前記外側中空レール（３）の内側断面（３．２）および／または前記内側中空レール（５）の外側断面（５．１）および／または前記絶縁手段（４）の外側断面（４．１）および／または前記絶縁手段（４）の内側断面（４．２）は、台形である、
ことを特徴とする支持レール。
【請求項１７】
請求項１から１６のいずれか一項に記載の支持レールであって、
前記外側中空レール（３）の外側断面（３．１）の４面エンベロープポリゴン（３．７）および／または前記絶縁手段（４）の外側断面（４．１）および／または前記内側中空レール（５）の外側断面（５．１）はそれぞれ台形を形成する、
ことを特徴とする支持レール。
【請求項１８】
請求項１から１７のいずれか一項に記載の支持レールであって、
前記外側中空レール（３）の断面（３．１）は、台形の形態に基づき、前記台形の形態の一方の平行な側は、２つの固定縁（３．６）を使って両側に延在し、前記台形の形態の前記他方の側には、支承面（３．５）がアンダーカットされた固定チャネル（３．４）を使って配置される、
ことを特徴とする支持レール。
【請求項１９】
請求項１から１８のいずれか一項に記載の支持レールであって、
前記外側中空レール（３）は、前記ＰＶモジュール（１）が挿入される少なくとも１つの３面受け入れチャネルを備える、
ことを特徴とする支持レール。
【請求項２０】
請求項１から１９のいずれか一項に記載の支持レールであって、
前記内側中空レール（１１ａ）のほかに、第２の金属製内側中空レール（１１ｂ）が備えられ、
前記絶縁手段（１２）は、前記外側中空レール（３）と前記第２の内側中空レール（１１ｂ）とを互いに電気的に分離し、
前記第２の内側中空レール（１１ｂ）は、前記絶縁手段（１２）を使って前記外側中空レール（３）内に収容され、前記絶縁手段（１２）を使ってポジティブロック機構により前記支持レール（１３）を横断するすべての方向にわたって前記外側中空レール（３）内に保持される、
ことを特徴とする支持レール。
【請求項２１】
請求項１から１９のいずれか一項に記載の支持レールであって、
第２の金属製内側中空レール（１４）および第２の絶縁手段（１５）が備えられ、
前記第２の絶縁手段（１５）は、前記内側中空レール（５）と前記第２の内側中空レール（１４）とを互いに電気的に分離し、
前記第２の内側中空レール（１４）は、前記第２の絶縁手段（１５）を使って前記第１の内側中空レール（５）内に収容され、前記第２の絶縁手段（１５）を使ってポジティブロック機構により前記支持レール（１６）を横断するすべての方向にわたって前記第１の内側中空レール（５）内に保持される、
ことを特徴とする支持レール。
【請求項２２】
請求項１から１９のいずれか一項に記載の支持レールであって、
前記ＰＶモジュール（１）は、電気的に直列接続されたＰＶモジュール（１、１９）の列（２０から２１）内に一体化され、
前記列（２０から２１）は、前記内側中空レール（５）の長手方向端部（５．５）と電気的に接続された電気的な一方の端部（２０）のところにある、
ことを特徴とする支持レール。
【請求項２３】
請求項２２に記載の支持レールであって、
前記列（２０から２１）は、インバータ（２２）と電気的に接続されたその他方の電気的端部（２１）のところにある、
ことを特徴とする支持レール。
【請求項２４】
請求項２２または２３に記載の支持レールであって、
前記内側中空レール（５）の前記他方の長手方向端部（５．６）は、インバータ（２２）と電気的に接続される、
ことを特徴とする支持レール。
【請求項２５】
請求項２２に記載の支持レールであって、
前記列（２０から２１）は、インバータ（２２）の極（２４）と電気的に接続されたその他方の電気的端部（２１）のところにあり、
前記内側中空レール（５）の前記他方の長手方向端部（５．６）は、前記インバータ（２２）の前記他方の極（２５）と電気的に接続される、
ことを特徴とする支持レール。
【請求項２６】
請求項１から２５のいずれか一項に記載の支持レールであって、
前記外側中空レール（３）は、集合電位（２６）、特に地電位と電気的に接続される、ことを特徴とする支持レール。